(57)【要約】【課題】表示試験時の現場作業員のヒューマンエラーによる電力供給支障などを容易に解消することができる表示試験装置および表示試験方法を提供する。【解決手段】表示試験時に試験用直流電圧を遠制装置２０に供給するためのＡＣ／ＤＣコンバータ１と、遠制装置２０内に設けられた第２および第３の平常・試験切替開閉器２４2，２４3とを具備する。ここで、第２の平常・試験切替開閉器２４2の平常側端子、試験側端子および共通端子は、遠制装置２０内の直流プラス電源端子Ｐ、ＡＣ／ＤＣコンバータ１のプラス電圧出力端子および第１の表示用電源端子２６1とそれぞれ接続されており、また、第３の平常・試験切替開閉器２４3の平常側端子、試験側端子および共通端子は、遠制装置２０内の直流マイナス電源端子Ｎ、ＡＣ／ＤＣコンバータ１のマイナス電圧出力端子および表示基板２３の出力端子とそれぞれ接続されている。【選択図】図１
2014021088.tif 000002
【特許請求の範囲】
【請求項１】
遠隔監視制御装置（２０）の表示試験に用いるための表示試験装置であって、
前記表示試験時に試験用直流電圧を前記遠隔監視制御装置に供給するための試験用直流電圧供給手段と、
前記遠隔監視制御装置内に設けられた第１および第２の平常・試験切替開閉器（２４2，２４3）とを具備し、
前記第１の平常・試験切替開閉器（２４2）の平常側端子が、前記遠隔監視制御装置内に設けられた直流プラス電源端子（Ｐ）と接続されており、
前記第１の平常・試験切替開閉器（２４2）の試験側端子が、前記試験用直流電圧供給手段のプラス電圧出力端子と接続されており、
前記第１の平常・試験切替開閉器（２４2）の共通端子が、電力機器（３０）の表示リレー接点（３３）の入力端子と接続された第１の表示用電源端子（２６1）と接続されており、
前記第２の平常・試験切替開閉器（２４3）の平常側端子が、前記遠隔監視制御装置内に設けられた直流マイナス電源端子（Ｎ）と接続されており、
前記第２の平常・試験切替開閉器（２４3）の試験側端子が、前記試験用直流電圧供給手段のマイナス電圧出力端子と接続されており、
前記第２の平常・試験切替開閉器（２４3）の共通端子が、前記遠隔監視制御装置内に設けられたかつ入力端子が前記表示リレー接点の出力端子と第２の表示用電源端子（２６2）を介して接続された表示基板（２３）の出力端子と接続されている、
ことを特徴とする、表示試験装置。
【請求項２】
前記第１および第２の平常・試験切替開閉器が、前記表示試験時以外では未使用の平常・試験切替開閉器であることを特徴とする、請求項１記載の表示試験装置。
【請求項３】
前記試験用直流電圧供給手段が、電源プラグ（２）を介して入力される商用交流電圧を前記試験用直流電圧に変換するためのＡＣ／ＤＣコンバータ（１）であることを特徴とする、請求項１または２記載の表示試験装置。
【請求項４】
請求項１乃至３いずれかに記載の表示試験装置を用いて遠隔監視制御装置（２０）の表示試験を行うための表示試験方法であって、
前記第１の表示用電源端子と前記第２の表示用電源端子とをリード線（４０）を用いて接続する第１のステップと、
前記第１および第２の平常・試験切替開閉器の前記試験側端子と前記共通端子とが接続されるように該第１および第２の平常・試験切替開閉器を切り替える第２のステップと、
前記試験用直流電圧供給手段を前記遠隔監視制御装置に接続して前記試験用直流電圧を該遠隔監視制御装置に供給する第３のステップと、
を具備することを特徴とする、表示試験方法。
【発明の詳細な説明】
【技術分野】
【０００１】
本発明は、電力会社の電気所に設置されている遠隔監視制御装置の据付や定期点検時の表示試験に用いるのに好適な表示試験装置および表示試験方法に関する。
【背景技術】
【０００２】
電力会社では、発電所、変電所、開閉所およびダムなどの電気所を無人化して遠方から電力機器３０（たとえば、遮断器、断路器およびリレー装置）などを運転制御するために、図４に示すように、制御所に制御所装置１０を設置するとともに電気所に遠隔監視制御装置２０（以下、「遠制装置２０」と称する。）を設置して、同図に実線の片矢印で示すように制御情報を制御所装置１０から遠制装置２０を介して電力機器３０に送信し、同図に破線の片矢印で示すように表示・計測情報を電力機器３０から遠制装置２０を介して制御所装置１０に送信している。
【０００３】
ここで、遠制装置２０は、図５に示すように、処理部（ＣＰＵ）２１と、送受信部（ＭＯＤＥＭ）２２と、表示基板２３と、複数個の平常・試験切替開閉器（４３ＴＳ）２４（第１乃至第３の平常・試験切替開閉器２４1〜２４3のみ図示）と、複数個の選択制御リレー２５（第１乃至第４の選択制御リレー２５1〜２５4のみ図示）と、複数個の表示用電源端子２６（第１乃至第３の表示用電源端子２６1〜２６3のみ図示）と、複数個の制御端子２７（第１乃至第４の制御端子２７1〜２７4のみ図示）とを備える。
【０００４】
第１の表示用電源端子２６1は、遠制装置２０内に設けられた直流プラス電源端子Ｐ（＋５５ＶDC）と接続されているとともに、電力機器３０の表示リレー接点３３（同図には第１および第２の表示リレー接点３３1，３３2のみ図示）の入力端子に接続されている。また、第２および第３の表示用電源端子２６2，２６3は、遠制装置２０内に設けられた直流マイナス電源端子Ｎ（−５５ＶDC）と表示基板２３を介して接続されているとともに、第１および第２の表示リレー接点３３1，３３2の出力端子にそれぞれ接続されている。
【０００５】
処理部（ＣＰＵ）２１は、送受信部２２を介して、電力機器３０および表示基板２３からの表示・計測情報を制御所装置１０に送信したり制御所装置１０からの制御情報を受信したりする。
【０００６】
平常・試験切替開閉器２４は、平常側端子、試験側端子および共通端子を備えている。
なお、図５に示した例では、第１の平常・試験切替開閉器２４1のみが使用されており、第２および第３の平常・試験切替開閉器２４2，２４3は空き接点端子（未使用の平常・試験切替開閉器）とされている。
そのため、第１の平常・試験切替開閉器２４1では、平常側端子が直流プラス電源端子Ｐと接続されており、試験側端子が開放端子とされているとともに、共通端子が第１乃至第４の選択制御リレー２５1〜２５4の入力端子に接続されている。
【０００７】
第１乃至第４の選択制御リレー２５1〜２５4の出力端子は、第１乃至第４の制御端子２７1〜２７4を介して第１の遮断器「切」用リレー３１A、第１の遮断器「入」用リレー３１B、第２の遮断器「切」用リレー３２Aおよび第２の遮断器「入」用リレー３２Bの入力端子にそれぞれ接続されている。
なお、第１の遮断器「切」用リレー３１Aは第１の送配電線に設置された第１の遮断器を遮断（開放）するためのリレーであり、第１の遮断器「入」用リレー３１Bは第１の遮断器を投入するためのリレーであり、第２の遮断器「切」用リレー３２Aは第２の送配電線に設置された第２の遮断器を遮断するためのリレーであり、第２の遮断器「入」用リレー３２Bは第２の遮断器を投入するためのリレーである。
【０００８】
第１の遮断器「切」用リレー３１A、第１の遮断器「入」用リレー３１B、第２の遮断器「切」用リレー３２Aおよび第２の遮断器「入」用リレー３２Bは、出力端子が直流マイナス電源端子Ｎと接続されており、直流プラス電圧が供給されると動作するようにされている。
【０００９】
従来、このように構成された遠制装置２０の据付や定期点検時の表示試験（表示確認試験）は、一端にリードクリップが取り付けられるとともに他端に接触棒が取り付けられたリード線４０を用いて、以下のようにして行われている。
現地作業者は、図５に矢印で示すように第１の平常・試験切替開閉器２５1を『平常』から『試験』に切り替える操作（第１の平常・試験切替開閉器２５1の共通端子を試験側端子と接続するように切り替える操作）を行うことにより、第１の平常・試験切替開閉器２５1を試験時状態にする。
現地作業者は、リード線４０のリードクリップを第１の表示用電源端子２６1に取り付けたのち、図５に示す第１の表示リレー接点３３1のように開状態であって平常時に直流プラス電圧が印加されていない第２の表示用電源端子２６2については、リード線４０の接触棒を第２の表示用電源端子２６2に接触させることにより、第１の表示用電源端子２６1と第２の表示用電源端子２６2とを電気的に接続して第２の表示用電源端子２６2に直流プラス電圧を印加し、同図に破線の矢印で示すように表示基板２３に直流電流を流して、制御所装置１０に表示情報が伝送されることを確認することにより行っている。
また、同図に示す第２の表示リレー接点３３2のように閉状態であって平常時に直流プラス電圧が印加されている第３の表示用電源端子２６3については、第３の表示用電源端子２６3とアースとの間の電圧を測定することにより行っている。
表示試験が終了すると、現地作業者は、第１の平常・試験切替開閉器２４1を『試験』から『平常』に切り替える操作（第１の平常・試験切替開閉器２５1の共通端子を平常側端子と接続するように切り替える操作）を行うことにより、第１の平常・試験切替開閉器２５1を平常時状態に戻す。
【００１０】
このような遠制装置２０の表示試験では、リード線４０を用いて第１の表示用電源端子２６1と第２の表示用電源端子２６2とを接続しなければならない場合に、現場作業員のヒューマンエラーによってリード線４０の接触棒を第２の表示用電源端子２６2ではなくて第１の制御端子２７1に接触させると、図６に破線の矢印で示すように第１の遮断器「切」用リレー３１Aに直流電流が流れてしまい、第１の遮断器「切」用リレー３１Aが動作して第１の遮断器が遮断される結果、第１の送配電線が停電して電力供給支障を生じさせるという問題があった。
同様に、現場作業員のヒューマンエラーによってリード線４０の接触棒を第２の表示用電源端子２６2ではなくて第３の制御端子２７3に接触させると、第２の遮断器「切」用リレー３２Aが動作して第２の遮断器が遮断される結果、第２の送配電線が停電して電力供給支障を生じさせるという問題があった。
なお、現場作業員のヒューマンエラーによってリード線４０の接触棒を第２の表示用電源端子２６2ではなくて第２または第４の制御端子２７2，２７4に接触させると、第１または第２の遮断器「入」用リレー３１B，３２Bに直流電流が流れてしまい、第１または第２の遮断器「入」用リレー３１B，３２Bが動作する。しかし、この場合には、第１および第２の遮断器は投入されたままとなるので、表示試験は正常に行われないが、第１および第２の送配電線が停電して電力供給支障を生じさせることはない。
【００１１】
遠制装置２０の実際の表示試験では、１台の遠制装置２０当り百数十回以上も直流プラス電圧を表示用電源端子２６にリード線４０を用いて印加しており、１年間に約１０台の点検と約３台の取替工事を実施している。
遠制装置２０内の多くは活線部分であり、ヒューマンエラーによって直流プラス電圧（表示用電源電圧）を送配電線の遮断器「切」用端子（第１および第３の制御端子２７1，２７3）や送配電線の保護リレー「不使用」用端子に誤印加した場合には、送配電線の誤遮断や無保護化に直結する。これらの該当端子は１台の遠制装置２０当り数十個あり、そのうち運用に支障となるものは約半数にのぼる。
【００１２】
そのため、遠制装置２０の表示試験を行う際には、現場作業員は、ビニールテープを制御端子２７に貼り付けて、リード線４０の接触棒を誤って制御端子２７に接触させても直流電流が流れないような対策をしている。
【００１３】
また、本出願人は、このような現場作業員のヒューマンエラーを防止する一手法として、下記の特許文献１において、平常運転状態では表示試験ができないようにするための作業着手条件回路と、表示端子台のＰ電源が印加されている外部機器接続端子についての表示試験とＰ電源が印加されていない外部機器接続端子についての表示試験とを切り替えるための表示試験切替回路とを遠制装置に組み込み、また、表示試験棒を、先端に取り付けられた接触棒に平常運転状態では遠制装置からＰ電源が供給されない構造にするとともに、上述した２つの表示試験を表示試験切替回路に切り替えさせる切替信号を発生するためにワンショット接点構造にした、表示試験装置を提案している。
【先行技術文献】
【特許文献】
【００１４】
【特許文献１】特開２０１０−１９７５６号公報
【発明の概要】
【発明が解決しようとする課題】
【００１５】
しかしながら、上述したようなビニールテープを制御端子２７に貼り付ける対策では、表示試験前にビニールテープを貼り付けるとともに表示試験後にビニールテープを取り外す必要があるため、表示試験作業に時間が掛っていた。
【００１６】
また、上記の特許文献１で提案した表示試験装置は、表示試験時の現場作業員のヒューマンエラーを防止するために有効であるが、作業着手条件回路および表示試験切替回路を遠隔監視制御装置に組み込む必要があるとともに表示試験棒を用意する必要がある。
【００１７】
本発明の目的は、表示試験時の現場作業員のヒューマンエラーによる電力供給支障などを容易に解消することができる表示試験装置および表示試験方法を提供することにある。
【課題を解決するための手段】
【００１８】
本発明の表示試験装置は、遠隔監視制御装置（２０）の表示試験に用いるための表示試験装置であって、前記表示試験時に試験用直流電圧を前記遠隔監視制御装置に供給するための試験用直流電圧供給手段と、前記遠隔監視制御装置内に設けられた第１および第２の平常・試験切替開閉器（２４2，２４3）とを具備し、前記第１の平常・試験切替開閉器（２４2）の平常側端子が、前記遠隔監視制御装置内に設けられた直流プラス電源端子（Ｐ）と接続されており、前記第１の平常・試験切替開閉器（２４2）の試験側端子が、前記試験用直流電圧供給手段のプラス電圧出力端子と接続されており、前記第１の平常・試験切替開閉器（２４2）の共通端子が、電力機器（３０）の表示リレー接点（３３）の入力端子と接続された第１の表示用電源端子（２６1）と接続されており、前記第２の平常・試験切替開閉器（２４3）の平常側端子が、前記遠隔監視制御装置内に設けられた直流マイナス電源端子（Ｎ）と接続されており、前記第２の平常・試験切替開閉器（２４3）の試験側端子が、前記試験用直流電圧供給手段のマイナス電圧出力端子と接続されており、前記第２の平常・試験切替開閉器（２４3）の共通端子が、前記遠隔監視制御装置内に設けられるとともに入力端子が前記表示リレー接点の出力端子と第２の表示用電源端子（２６2）を介して接続された表示基板（２３）の出力端子と接続されていることを特徴とする。
ここで、前記第１および第２の平常・試験切替開閉器が、前記表示試験時以外では未使用の平常・試験切替開閉器であってもよい。
前記試験用直流電圧供給手段が、電源プラグ（２）を介して入力される商用交流電圧を前記試験用直流電圧に変換するためのＡＣ／ＤＣコンバータ（１）であってもよい。
本発明の表示試験方法は、本発明の表示試験装置を用いて遠隔監視制御装置（２０）の表示試験を行うための表示試験方法であって、前記第１の表示用電源端子と前記第２の表示用電源端子とをリード線（４０）を用いて接続する第１のステップと、前記第１および第２の平常・試験切替開閉器の前記試験側端子と前記共通端子とが接続されるように該第１および第２の平常・試験切替開閉器を切り替える第２のステップと、前記試験用直流電圧供給手段を前記遠隔監視制御装置に接続して前記試験用直流電圧を該遠隔監視制御装置に供給する第３のステップとを具備することを特徴とする。
【発明の効果】
【００１９】
本発明の表示試験装置および表示試験方法は、以下に示す効果を奏する。
（１）リード線の接触棒を制御端子に誤って接触させても、電流経路は平常・試験切替開閉器で遮断されるため、この制御端子に接続された電力機器（遮断器「切」用リレーなど）が誤動作することを防止できるので、表示試験時の現場作業員のヒューマンエラーによる電力供給支障などを容易に解消することができる。
（２）ビニールテープを制御端子に貼り付けたり取り外したりする必要がないため、作業の効率化が図れる。
（３）平常・試験切替開閉器の『平常』から『試験』への切替操作のみでよいため、安全性の向上が図れる。
（４）構造が簡易であるため、容易に製作できるとともに他へ流用できる。
【図面の簡単な説明】
【００２０】
【図１】本発明の一実施例による表示試験装置の構成について説明するための図である。
【図２】図１に示した表示試験装置を用いた遠制装置２０の表示試験方法について説明するための図である。
【図３】図１に示した表示試験装置を用いた遠制装置２０の表示試験時において現場作業員のヒューマンエラーによる電力供給支障を解消できることについて説明するための図である。
【図４】電気所に設置された遠制装置２０について説明するための図である。
【図５】図４に示した遠制装置２０の構成を示す図である。
【図６】遠制装置２０の従来の表示試験方法の課題について説明するための図である。
【発明を実施するための形態】
【００２１】
上記の目的を、表示試験時に試験用直流電圧を試験用直流電圧供給手段から遠隔監視制御装置に供給するとともに、リード線の接触棒を制御端子に接触させると電流経路を平常・試験切替開閉器で遮断することにより実現した。
【実施例１】
【００２２】
以下、本発明の表示試験装置および表示試験方法の実施例について図面を参照して説明する。
本発明の表示試験装置は、遠制装置２０の表示試験時に、試験用直流電圧（−５５ＶDC〜＋５５ＶDC）を外部から遠制装置２０に供給するとともに、リード線４０を制御端子２７に接触させると電流経路を平常・試験切替開閉器２４で遮断するようにしたことを特徴とする。
【００２３】
そのため、本発明の一実施例による表示試験装置は、図１に示すように、電源プラグ２を介して入力される商用交流電圧（１００ＶAC）を試験用直流電圧（−５５ＶDC〜＋５５ＶDC）に変換するためのＡＣ／ＤＣコンバータ１と、遠制装置２０内の空き接点端子（未使用の平常・試験切替開閉器）である第２および第３の平常・試験切替開閉器２４2，２４3とを具備する。
【００２４】
ここで、第２の平常・試験切替開閉器２４2の平常側端子、試験側端子および共通端子は、直流プラス電源端子Ｐ、ＡＣ／ＤＣコンバータ１のプラス電圧出力端子および第１の表示用電源端子２６1とそれぞれ接続されている。
また、第３の平常・試験切替開閉器２４3の平常側端子、試験側端子および共通端子は、直流マイナス電源端子Ｎ、ＡＣ／ＤＣコンバータ１のマイナス電圧出力端子および表示基板２３の出力端子とそれぞれ接続されている。
【００２５】
これにより、平常時は、第２および第３の平常・試験切替開閉器２４2，２４3を『平常』に切り替えておく（すなわち、第２および第３の平常・試験切替開閉器２４2，２４3の共通端子と平常側端子とが接続されるように切り替えておく）ことにより、図１に破線の矢印で示すように直流プラス電源端子Ｐ→第２の平常・試験切替開閉器２４2→第１の表示用電源端子２６1→電源回路３０（第２の表示リレー接点３３2）→第３の表示用電源端子２６3→表示基板２３→第３の平常・試験切替開閉器２４3→直流マイナス電源端子Ｎという電流経路を形成することができる。
【００２６】
また、遠制装置２０の表示試験時には、図２に示すように、第１の表示用電源端子２６1と第２の表示用電源端子２６2とをリード線４０で接続するとともに、第１乃至第３の平常・試験切替開閉器２４1〜２４3を『試験』に切り替える（すなわち、第１乃至第３の平常・試験切替開閉器２４1〜２４3の共通端子と試験側端子とが接続されるように切り替える）ため、同図に破線の矢印で示すようにＡＣ／ＤＣコンバータ１のプラス電圧出力端子→第２の平常・試験切替開閉器２４2→第１の表示用電源端子２６1→リード線４０→表示用電源端子２６（第２の表示用電源端子２６2）→表示基板２３→第３の平常・試験切替開閉器２４3→ＡＣ／ＤＣコンバータ１のマイナス電圧出力端子という電流経路を形成することができるので、ＡＣ／ＤＣコンバータ１から出力される試験用直流電圧を用いて遠制装置２０の表示試験を行うことができる。
【００２７】
さらに、遠制装置２０の表示試験時に、リード線４０を用いて第１の表示用電源端子２６1と第２の表示用電源端子２６2とを接続しなければならない場合に、現場作業員のヒューマンエラーによってリード線４０の接触棒を第２の表示用電源端子２６2ではなくて第１の制御端子２７1に接触させても、第１乃至第３の平常・試験切替開閉器２４1〜２４3は上述したように『試験』に切り替えられている（すなわち、第１乃至第３の平常・試験切替開閉器２４1〜２４3は共通端子と試験側端子とが接続されるように切り替えられている）ため、電流経路は図３に一点鎖線で示すように第１および第２の平常・試験切替開閉器２４1，２４2で遮断される。その結果、第１の遮断器「切」用リレー３１Aが動作することはないため、第１の遮断器が遮断されることによる第１の送配電線の電力供給支障を防止することができる。
同様に、現場作業員のヒューマンエラーによってリード線４０の接触棒を第２の表示用電源端子２６2ではなくて第３の制御端子２７3に接触させても、電流経路は第１および第２の平常・試験切替開閉器２４1，２４2で遮断される。その結果、第２の遮断器「切」用リレー３１Bが動作することはないため、第２の遮断器が遮断されることによる第２の送配電線の電力供給支障を防止することができる。
【００２８】
以上説明したように、本実施例による表示試験装置を用いることにより、現場作業員は、図２に示したように、第１の表示用電源端子２６1と第２の表示用電源端子２６2とをリード線４０を用いて接続し、第１乃至第３の平常・試験切替開閉器２４1〜２４3の試験側端子と共通端子とが接続されるように第１乃至第３の平常・試験切替開閉器２４1〜２４3を切り替え、ＡＣ／ＤＣコンバータ１の電源プラグ２を作業用コンセント５に差し込むとともに、ＡＣ／ＤＣコンバータ１を遠制装置２０に接続してＡＣ／ＤＣコンバータ１から遠制装置２０に試験用直流電圧を供給することにより、従来のようにビニールテープを制御端子２７に貼り付ける必要なく、遠制装置２０の表示試験を行うことができる。
【００２９】
なお、以上の説明では、表示試験時に試験用直流電圧を遠制装置２０に供給するための試験用直流電圧供給手段として、商用交流電圧を試験用直流電圧に変換するＡＣ／ＤＣコンバータ１を用いたが、バッテリー内蔵型の直流電源装置を用いてもよい。
【符号の説明】
【００３０】
１  ＡＣ／ＤＣコンバータ
２  電源プラグ
５  作業用コンセント
１０  制御所装置
２０  遠制装置
２１  処理部
２２  送受信部
２３  表示基板
２４  平常・試験切替開閉器
２４1〜２４3  第１乃至第３の平常・試験切替開閉器
２５  選択制御リレー
２５1〜２５4  第１乃至第４の選択制御リレー
２６  表示用電源端子
２６1〜２６3  第１乃至第３の表示用電源端子
２７  制御端子
２７1〜２７4  第１乃至第４の制御端子
３０  電力機器
３１A，３２A  第１および第２の遮断器「切」用リレー
３１B，３２B  第１および第２の遮断器「入」用リレー
３３  表示リレー接点
３３1，３３2  第１および第２の表示リレー接点
４０  リード線
Ｐ  直流プラス電源端子
Ｎ  直流マイナス電源端子
【図１】
2014021088.tif 000003
【図２】
2014021088.tif 000004
【図３】
2014021088.tif 000005
【図４】
2014021088.tif 000006
【図５】
2014021088.tif 000007
【図６】
2014021088.tif 000008